(57)【要約】【課題】携帯端末機を仰臥姿勢や横臥姿勢で長時間利用する時に、利用者の寝返り動作を促すことができるようにし、利用者の首・肩こりや腰痛の防止、及び発痛物質の停滞防止を図る。【解決手段】携帯式画像表示器支持装置は、携帯式画像表示器が取り付けられる表示器支持部材と、表示器支持部材に連結され、該表示器支持部材を駆動する駆動手段と、携帯式画像表示器の利用者が行う動作とは無関係に駆動手段を制御して表示器支持部材を所定方向に往復動させる制御部とを備えている。【選択図】図３
2020047204.tif 000002
【特許請求の範囲】
【請求項１】
表示画面を有する携帯式画像表示器を支持する携帯式画像表示器支持装置であって、
前記携帯式画像表示器支持装置は、
前記携帯式画像表示器が取り付けられる表示器支持部材と、
前記表示器支持部材に連結され、該表示器支持部材を駆動する駆動手段と、
前記携帯式画像表示器の利用者が行う動作とは無関係に前記駆動手段を制御して前記表示器支持部材を所定方向に往復動させる制御部とを備えていることを特徴とする携帯式画像表示器支持装置。
【請求項２】
請求項１に記載の携帯式画像表示器支持装置において、
前記表示器支持部材を前記所定方向に案内するガイド部材を備えていることを特徴とする携帯式画像表示器支持装置。
【請求項３】
請求項２に記載の携帯式画像表示器支持装置において、
前記ガイド部材は、前記表示器支持部材の移動方向に延び、当該移動方向の中間部が両側に比べて上に位置するように湾曲形成された部材で構成されており、
前記ガイド部材における前記中間部の高さは、仰臥姿勢や横臥姿勢にある前記利用者の顔から上方に離れるように設定されていることを特徴とする携帯式画像表示器支持装置。
【請求項４】
請求項１から３のいずれか１つに記載の携帯式画像表示器支持装置において、
前記駆動手段が固定されるベース部材を備えていることを特徴とする携帯式画像表示器支持装置。
【請求項５】
請求項４に記載の携帯式画像表示器支持装置において、
前記ベース部材と前記駆動手段との間には、該駆動手段を傾動させる傾動機構が設けられていることを特徴とする携帯式画像表示器支持装置。
【請求項６】
請求項５に記載の携帯式画像表示器支持装置において、
前記傾動機構は、前記携帯式画像表示器の前記表示画面が前記利用者の顔に対向するまで前記駆動手段が傾動した使用位置と、前記携帯式画像表示器が前記利用者から退避するまで前記駆動手段が傾動した退避位置とに切替可能に構成されていることを特徴とする携帯式画像表示器支持装置。
【発明の詳細な説明】
【技術分野】
【０００１】
本発明は、携帯式画像表示器を仰臥姿勢や横臥姿勢で長時間利用する時に用いられる携帯式画像表示器支持装置に関し、特に、携帯式画像表示器を支持した状態で自動的に移動させる構造の技術分野に属する。
【背景技術】
【０００２】
最近、無線通信技術の高性能化に伴い、例えばスマートフォンやタブレット型端末等の携帯式画像表示器による電子書籍閲覧や映画鑑賞、音楽鑑賞の機会が増えており、携帯式画像表示器の利用時間が長くなっている。携帯式画像表示器の利用時間がより長くなった事で携帯式画像表示器を寝転がった姿勢、例えば仰臥姿勢や横臥姿勢で利用する人が増えている。長時間の同一姿勢による身体に与える影響は、手や腕の疲れや痺れだけでなく、首・肩こりや腰痛にまで及ぶことがある。
【０００３】
国民生活基礎調査(平成１０年度)によれば、国内の６歳以上の寝たきり者数は３５万６千人と言われている。そんな寝たきりの人にとって携帯式画像表示器は単なる通信手段としてだけでなく、情報通信機能を備えた小型コンピューターとして趣味や知識の習得に活用するには最適である。しかし、周りの家族や介護者にとっては、携帯式画像表示器を本人に見えるように保持しておかなければならず、首・肩・腕部の負担が大きい。
【０００４】
携帯式画像表示器を支持する装置は、従来から知られており、例えば特許文献１、２に開示されている装置がある。特許文献１、２の装置は、携帯式画像表示器を、回転軸を有する保持機構の一端に装着し、保持機構の他端にはバランサーを装着しておき、表示装置側の保持機構の重力による回転軸回りの回転モーメントと、バランサー側の保持機構の重力による回転軸回りの回転モーメントとをほぼ等しくし、回転軸にモータの回転力を伝えて携帯式画像表示器を回転軸の回りに回転可能にした装置が開示されている。モータは、人体に取り付けられた角度センサーもしくは加速度センサーからの情報に基づいて制御されるようになっている。
【先行技術文献】
【特許文献】
【０００５】
【特許文献１】特開２００５−０８４６７１号公報
【特許文献２】特開２００５−１９５７１１号公報
【発明の概要】
【発明が解決しようとする課題】
【０００６】
ところで、特許文献１、２の装置は、人体に取り付けられた角度センサーもしくは加速度センサーからの情報に基づいてモータを制御することが前提となっている。つまり、人体が動いたことを角度センサーもしくは加速度センサーによって検出し、その人体の動きに合わせて携帯式画像表示器を移動させることができるものである。言い換えると、人体が静止したままであると、携帯式画像表示器も静止したままである。また、仮にセンサーが人体から外れてしまった場合、携帯式画像表示器は動くことなく、静止したままになる。
【０００７】
ここで問題となるのが、長時間の同一姿勢による身体に与える影響である。特許文献１、２では、上述したように人体が動かなければ携帯式画像表示器も動かないので、例えば動画の視聴に熱中している者のように長時間姿勢を変えない場合には、同一姿勢が長時間継続されることになる。同一姿勢が長時間継続されると、血液やリンパの循環が悪化して発痛物質が停滞し、手や腕の疲れや痺れだけでなく、首・肩こりや腰痛の原因になることがある。
【０００８】
一方、健康な人は、一晩に約２０回程度寝返りをうつと言われている。例えば６時間睡眠の人の場合、約１６分から２０分ごとに寝返りをうつ計算になる。最近では、この寝返りについて見直されており、寝返り動作をとることで血液、リンパ液の循環が良くなって腰痛予防や体内の発痛物質の停滞防止に役立つとされており、寝返りしやすい寝具マットや枕などの改良や開発でその認識も高まっている。
【０００９】
特に、寝たきりの人や障害を持つ人は、自分から姿勢を変えようとすることが無く、同一姿勢が長時間継続される場合が多く、床ずれの原因になることがある。このため、寝たきりの人や障害を持つ人にとっても、寝返りしやすい環境を整えることは急務となっている。
【００１０】
また、人間工学によると、図１０の水平方向の中心視領域図で示すように、眼球運動によって見ることができる中心視領域は略４０°程度が限界であり、それ以外の周辺視領域を見ようとすると、眼球運動では追いつかず、首や頭の回旋動作が必要になる。これにも限界があり、人が周辺視領域を更に広げようとすると、上部体幹から下部体幹へと回旋動作を行うとされている。ただし、人により回旋の回数やタイミングや速度やパターンは微妙に異なる。
【００１１】
本発明は、かかる点に鑑みてなされたものであり、その目的とするところは、携帯端末機を仰臥姿勢や横臥姿勢で長時間利用する時に、利用者の寝返り動作を促すことができるようにし、その結果、利用者の首・肩こりや腰痛の防止、及び発痛物質の停滞防止を図ることにある。
【課題を解決するための手段】
【００１２】
前記目的を達成するために、第１の発明は、表示画面を有する携帯式画像表示器を支持する携帯式画像表示器支持装置であって、前記携帯式画像表示器支持装置は、前記携帯式画像表示器が取り付けられる表示器支持部材と、前記表示器支持部材に連結され、該表示器支持部材を駆動する駆動手段と、前記携帯式画像表示器の利用者が行う動作とは無関係に前記駆動手段を制御して前記表示器支持部材を所定方向に往復動させる制御部とを備えていることを特徴とする。
【００１３】
この構成によれば、携帯式画像表示器を表示器支持部材に取り付けることで、携帯式画像表示器が表示器支持部材を介して支持されるので、携帯式画像表示器の利用者が手で携帯式画像表示器を持つことなく、携帯式画像表示器に表示される画像を見ることができる。
【００１４】
そして、利用者の動作とは無関係に表示器支持部材が駆動手段によって駆動され、これにより、携帯式画像表示器が所定方向に往復動することになる。携帯式画像表示器が一方向に移動して利用者の中心視領域から外れると、画像を見続けようとして利用者の首や頭の回旋動作が起こる。携帯式画像表示器が更に移動すると、利用者の上部体幹から下部体幹へと回旋動作が起こる。携帯式画像表示器が他方向に移動する場合も同様な回旋動作が起こる。このような動作は利用者が画像を見続けようとして自然と促される動作であり、例えば、携帯式画像表示器を仰臥姿勢や横臥姿勢で長時間利用する時には寝返り動作となって現れる。これにより、利用者の寝返り動作を促すことが可能になる。
【００１５】
第２の発明は、前記表示器支持部材を前記所定方向に案内するガイド部材を備えていることを特徴とする。
【００１６】
この構成によれば、表示器支持部材を所定方向に確実に案内することができる。
【００１７】
第３の発明は、前記ガイド部材は、前記表示器支持部材の移動方向に延び、当該移動方向の中間部が両側に比べて上に位置するように湾曲形成された部材で構成されており、前記ガイド部材における前記中間部の高さは、仰臥姿勢や横臥姿勢にある前記利用者の顔から上方に離れるように設定されていることを特徴とする。
【００１８】
この構成によれば、携帯式画像表示器が、仰臥姿勢や横臥姿勢にある利用者の顔の上方を湾曲した軌道を描きながら往復動することになるので、利用者の寝返り動作の促進効果がより一層高まる。
【００１９】
第４の発明は、前記駆動手段が固定されるベース部材を備えていることを特徴とする。
【００２０】
この構成によれば、駆動手段がベース部材によって支持されるので、携帯式画像表示器を安定した状態で往復動させることができる。
【００２１】
第５の発明は、前記ベース部材と前記駆動手段との間には、該駆動手段を傾動させる傾動機構が設けられていることを特徴とする。
【００２２】
この構成によれば、駆動手段をベース部材に対して傾動させることができるので、駆動手段に連結されている表示器支持部材を傾動させることができ、その結果、携帯式画像表示器の角度を調整することができる。
【００２３】
第６の発明は、前記傾動機構は、前記携帯式画像表示器の前記表示画面が前記利用者の顔に対向するまで前記駆動手段が傾動した使用位置と、前記携帯式画像表示器が前記利用者から退避するまで前記駆動手段が傾動した退避位置とに切替可能に構成されていることを特徴とする。
【００２４】
この構成によれば、駆動手段を傾動させて使用位置にすると携帯式画像表示器の表示画面が利用者の顔に対向するので、高い視認性を確保することができる。一方、駆動手段を退避位置に切り替えると、携帯式画像表示器が利用者から退避するので、例えば仰臥姿勢や横臥姿勢にある利用者が起き上がるときに携帯式画像表示器が邪魔になりにくい。
【発明の効果】
【００２５】
本発明によれば、携帯式画像表示器を仰臥姿勢や横臥姿勢で長時間利用する時に、利用者の寝返り動作を促すことができるので、利用者の首・肩こりや腰痛の防止、及び発痛物質の停滞防止を図ることができる。
【図面の簡単な説明】
【００２６】
【図１】本発明の実施形態１に係る携帯式画像表示器支持装置の斜視図である。
【図２】携帯式画像表示器支持装置の左側面図である。
【図３】携帯式画像表示器支持装置の使用状態（仰臥姿勢）を示す斜視図である。
【図４】携帯式画像表示器支持装置の使用状態（横臥姿勢）を示す斜視図である。
【図５】携帯式画像表示器支持装置の拡大斜視図である。
【図６】駆動手段を傾動機構から分離した状態を示す斜視図である。
【図７】駆動手段及び傾動機構の分解斜視図である。
【図８】駆動手段のリンク機構を示す拡大図である。
【図９】本発明の実施形態２に係る携帯式画像表示器支持装置の使用状態（仰臥姿勢）を示す斜視図である。
【図１０】水平視野領域を説明する図である。
【発明を実施するための形態】
【００２７】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２８】
（実施形態１）
図１及び図２は、本発明の実施形態１に係る携帯式画像表示器支持装置１を示すものであり、図３及び図４は、携帯式画像表示器支持装置１の使用状態を示すものである。携帯式画像表示器支持装置１は、表示画面を有する携帯式画像表示器１００を利用者２００（図３や図４に示す）の代わりに支持することができるように構成されており、携帯式画像表示器支持装置１を使用することで、利用者２００は携帯式画像表示器１００を手で持つことなく利用することができる。利用者２００は、健常者であってもよいし、寝たきりの者であってもよいし、障害を持った者であってもよい。寝たきりの者や障害を持った者の場合、携帯式画像表示器１００を手で持つこと自体が困難な場合があるが、携帯式画像表示器支持装置１を使用することで、介護者や周囲の者に携帯式画像表示器１００を持ってもらわなくても携帯式画像表示器１００を利用することができる。
【００２９】
尚、この実施形態の説明では、各図に示すように、携帯式画像表示器支持装置１の右側、左側、手前側及び奥側を定義するが、これは説明の便宜を図るためだけであって、本発明の使用時の方向等を限定するものではない。
【００３０】
携帯式画像表示器１００は、例えばバッテリを内蔵したスマートフォンやタブレット型端末、小型のノートパソコン等を挙げることができるが、これらに限られるものではなく、表示画面、外部との通信機能及び動画表示機能を有する各種携帯式端末であってもよい。通信機能は無線ＬＡＮ等によるインターネット通信が可能に構成されたものである。このあたりの技術は従来から周知のものであるため、詳細な説明は省略する。
【００３１】
携帯式画像表示器１００は、表示器支持部材１０と、駆動手段２０と、制御部３０（図２にのみ破線で示す）と、ガイド部材４０と、ベース部材５０と、傾動機構６０とを備えている。制御部３０は、駆動手段２０の内部に設けてもよいし、外部に設けてもよく、利用者２００が操作可能に構成することもできる。表示器支持部材１０、駆動手段２０、制御部３０、ガイド部材４０、ベース部材５０及び傾動機構６０は一体化されており、これにより、携帯式画像表示器１００は自由に持ち運んで使用することが可能な可搬性を有するものになる。
【００３２】
表示器支持部材１０は、携帯式画像表示器１００が着脱可能に取り付けられる部材である。表示器支持部材１０は、例えば、携帯式画像表示器１００を幅方向両側から挟持する挟持手段や携帯式画像表示器１００を吸引する吸盤等を有しており、携帯式画像表示器１００が落下することのないように取り付けられる構成を持っている。使用後は携帯式画像表示器１００を表示器支持部材１０から容易に取り外すことが可能になっている。
【００３３】
駆動手段２０は、表示器支持部材１０に連結され、該表示器支持部材１０を駆動するためのユニットであり、本体部２１と、駆動アーム２２とを備えている。駆動アーム２２の先端部には、表示器支持部材１０が連結されるブラケット２２ａが設けられている。駆動アーム２２とブラケット２２ａとの角度は調整可能になっており、図２に示すように、駆動アーム２２とブラケット２２ａの長手方向とのなす角度が９０゜に近い角度となっている。ブラケット２２ａの長手方向は、携帯式画像表示器１００の表示画面の上下方向と対応している。
【００３４】
図６にのみ示すが、ブラケット２２ａには、ガイド部材４０が挿通する挿通孔２２ｂが形成されている。挿通孔２２ｂの周囲には、ガイド部材４０に接触するローラ部材２２ｃが設けられており、ガイド部材４０に対する摺動抵抗が低減されている。
【００３５】
図１等に示すように、ガイド部材４０は、表示器支持部材１０が左右方向（所定方向）に往復動するように当該表示器支持部材１０を案内するための部材である。ガイド部材４０は、例えば金属や樹脂からなる硬質パイプ材や棒材等で構成することができ、表示器支持部材１０の移動方向にレール状に延びるとともに、当該移動方向の中間部（左右方向の中間部）が両側（左側及び右側）に比べて上に位置するように湾曲形成された部材である。ガイド部材４０における中間部が最も高く、中間部から左端部及び右端部に近づくほど低くなるように、当該ガイド部材４０の形状が決められている。ガイド部材４０は、利用者２００の視界の邪魔になりにくくするため、無色透明であることが好ましい。
【００３６】
図３や図４に示すように、ガイド部材４０における中間部の高さは、仰臥姿勢や横臥姿勢にある利用者２００の顔２０１及び頭から上方に離れるように設定されている。具体的には、携帯式画像表示器１００の表示画面が利用者２００の目から１０〜３０ｃｍ程度離れるようにガイド部材４０が形成されている。
【００３７】
また、ガイド部材４０の両端部の間隔は、当該両端部が仰臥姿勢や横臥姿勢にある利用者２００の顔２０１及び頭から側方へ離れるように設定されている。この実施形態では、ガイド部材４０が円弧状に形成されており、その半径は例えば３００ｍｍ以上６００ｍｍ以下の範囲で設定することができる。
【００３８】
ブラケット２２ａの挿通孔２２ｂにガイド部材４０が挿通するようになっているので、ブラケット２２ａはガイド部材４０に沿って当該ガイド部材４０の左端部から右端部、または右端部から左端部に移動することになる。そして、表示器支持部材１０がブラケット２２ａに連結されているので、表示器支持部材１０に取り付けられた携帯式画像表示器１００はガイド部材４０によって円弧状の軌道を描くように左右方向に案内されることになる。
【００３９】
図１等に示すように、ベース部材５０は、駆動手段２０が固定される部材である。ベース部材５０と駆動手段２０との間に、該駆動手段２０を傾動させる傾動機構６０が設けられている。ベース部材５０は、ガイド部材４０と同様なパイプ材や棒材等で構成することができ、図３に示すように、仰臥姿勢や横臥姿勢にある利用者２００の顔２０１及び頭から離れた状態でマット３００や床（図示せず）に載置される。ベース部材５０は、左右方向の中間部が最も奥側に位置し、中間部から左端部及び右端部に近づくほど手前側に位置するように形成されている。ベース部材５０の左右方向の中間部は、頭から離れて配置されるようになっている。また、ベース部材５０の左端部及び右端部は、頭や顔から側方へ離れて配置されるようになっている。この実施形態では、ベース部材５０が平面視で円弧状に形成されており、その半径は例えば３００ｍｍ以上６００ｍｍ以下の範囲で設定することができる。
【００４０】
ガイド部材４０の左端部はベース部材５０の左側部分に対して左側連結部材４１によって連結されている。左側連結部材４１は、ガイド部材４０の左端部をベース部材５０に対して傾動自在に連結する部材である。ガイド部材４０の右端部はベース部材５０の右側部分に対して左側と同様に構成された右側連結部材４２によって連結されている。
【００４１】
傾動機構６０は、奥側に位置する基端側リンク６１、中間リンク６２、先端側リンク６３と、手前側に位置する支持棒材６４と、支軸６５とを備えている。基端側リンク６１の基端部（下端部）は、ベース部材５０の左右方向の中間部に固定されている。基端側リンク６１は上方へ延びる姿勢で配置されており、この基端側リンク６１の上端部には、中間リンク６２の下端部が左右方向に延びる軸回りに回動可能に連結されている。中間リンク６２も上方へ延びる姿勢で配置されており、この中間リンク６２の上端部には、先端側リンク６３の下端部が左右方向に延びる軸回りに回動可能に連結されている。先端側リンク６３も上方へ延びる姿勢で配置されており、この先端側リンク６３の上端部には、支軸６５の一端部が固定されるようになっている。
【００４２】
支持棒材６４は２つ設けられている。一方の支持棒材６４の下端部はベース部材５０の左側に対して、上記左側連結部材４１によって連結されている。他方の支持棒材６４の下端部はベース部材５０の右側に対して、上記右側連結部材４２によって連結されている。支持棒材６４の上端部は、支軸６５の他端部に対して連結されている。図２に示すように、支軸６５は手前側へ行くほど下に位置するように傾斜している。
【００４３】
支軸６５は駆動手段２０を回動可能に支持するための部材である。すなわち、図７に示すように、駆動手段２０の駆動アーム２２には、支軸６５に支持される被支持部材２２ｅが固定されており、この被支持部材２２ｅを支軸６５が貫通するように配置され、これにより、支軸６５回りに被支持部材２２ｅ、即ち駆動手段２０が回動可能になる。
【００４４】
駆動手段２０の本体部２１は、図７及び図８に示す基板部２１ａと、基板部２１ａに取り付けられたモーター及び減速歯車機構２１ｃ（図７にのみ示す）とを備えるとともに、基板部２１ａに回転可能に支持された出力歯車２１ｂも備えている。モーターの出力は、減速歯車機構２１ｃを介して出力歯車２１ｂに伝達されるようになっている。駆動アーム２２の基端部は、基板部２１ａに固定されており、駆動アーム２２と基板部２１ａとが一体化されている。
【００４５】
図７及び図８に示すように、駆動手段２０はリンク機構２３を備えている。リンク機構２３は、第１の四節リンク機構２４のクランク・テコ機構と、第２のリンク機構２５の両テコ機構とで構成されている。それにより略１８０°の範囲の揺動運動を可能とする。揺動範囲は、例えば１５０°〜１８０°の範囲で設定することができる。
【００４６】
リンク機構２３の第１リンク２４ａは、出力歯車２１ｂに対して固定されており、出力歯車２１ｂの出力が直接伝達されるようになっている。第１リンク２４ａには、第２リンク２４ｂの基端部が回転可能に取り付けられている。さらに、第２リンク２４ｂの先端部には、第３リンク２４ｃの基端部が回転可能に取り付けられている。第３リンク２４ｃの中間部は、基端部２１ａに対して回転可能に支持されている。第３リンク２４ｃの先端部には、第４リンク２４ｄの基端部が回転可能に取り付けられている。第４リンク２４ｄの先端部は、固定部材２６を介して傾動機構６０の先端側リンク６３に取り付けられている。固定部材２６の一端部に第４リンク２４ｄの先端部が回転可能に連結されている。固定部材２６の他端部は、支軸６５の端部に対して当該支軸６５回りに回転可能に連結されている。
【００４７】
従って、出力歯車２１ｂを回転させると、リンク機構２３の作用により、駆動手段２０が支軸６５回りに略１８０°の範囲で揺動運動する。これにより、表示器支持部材１０が左右に往復動することになる。
【００４８】
傾動機構６０は、いわゆるトグル機構を有しており、携帯式画像表示器１００の表示画面が利用者２００の顔２０１に対向するまで駆動手段２０が傾動した使用位置（図２に示す）と、携帯式画像表示器１００が利用者２００から退避するまで駆動手段２０が奥側へ傾動した退避位置とに切替可能に構成されている。駆動手段２０が退避位置にあるときの傾動機構６０の中間リンク６２及び先端側リンク６３を図２に仮想線で示す。駆動手段２０が退避位置にあるときには、ガイド部材４０や傾動機構６０の支持棒材６４も奥側へ傾動する。
【００４９】
尚、上述した駆動手段２０の構成は一例であり、リンク機構２３を省略し、例えば高減速比の減速機構を備えたサーボモータ等で往復動可能に構成することや、送りネジ機構とモーター等によって往復動可能に構成することもできる。
【００５０】
制御部３０は、携帯式画像表示器１００の利用者２００が行う動作とは無関係に駆動手段２０を制御して表示器支持部材１０を所定方向に往復動させるためのユニットである。具体的には、制御部３０は、駆動手段２０のモーターに印加する電圧を調整することにより、当該モーターの回転及び停止の切替、回転速度の切替を行うことができるように構成されている。電源は電池であってもよいし、商用電源であってもよい。制御部３０には、図示しないが、ＯＮ／ＯＦＦ切替スイッチと、スピード調整ダイヤルとが設けられている。ＯＮ／ＯＦＦ切替スイッチがＯＮにされると、制御部３０は、常にモーターに電圧を印加し続け、そのときの印加電圧はスピード調整ダイヤルによって調整できる。スピード調整ダイヤルによってスピードを上げる操作が行われると、モーターに印加される電圧を高めて駆動手段２０による揺動動作が速くなる。一方、スピード調整ダイヤルによってスピードを下げる操作が行われると、モーターに印加される電圧を低めて駆動手段２０による揺動動作が遅くなる。
【００５１】
表示器支持部材１０が左端から右端まで移動するのに要する時間は、２０分から３０分程度に設定することができるが、これは一例であり、６０分程度に設定してもよい。利用者２００がＯＮ／ＯＦＦ切替スイッチを操作しなければ、表示器支持部材１０は揺動し続ける。つまり、この実施形態では、利用者２００の向きや姿勢を検出しないので、利用者２００がどの方向に向いていても、どのような姿勢であっても、利用者２００の向きや姿勢とは関係なく、表示器支持部材１０が揺動し続けることになる。
【００５２】
図３に示すように、例えば仰臥姿勢にある利用者２００の顔２０１の正面に携帯式画像表示器１００が位置した状態から表示器支持部材１０が右へ揺動していくと、はじめのうちは、図１０に示す中心視野領域に表示器支持部材１０があるので利用者２００は眼球運動のみで表示画面を見ることができる。表示器支持部材１０が更に右に移動していき、図１０に示す中心視野領域から外れると、眼球運動だけでは表示画面が見えにくくなるので、利用者２００は中心視野領域で画像を見続けようとして首や頭の回旋動作が自然に起こる。携帯式画像表示器１０が更に右に移動すると、利用者２００は中心視野領域で見るために上部体幹から下部体幹へと回旋動作が自然に起こる。携帯式画像表示器１０が左方向に移動する場合も同様な回旋動作が起こる。このような動作は利用者２００が中心視野領域で画像を見続けようとして自然と促される動作であり、例えば、携帯式画像表示器１０を仰臥姿勢や横臥姿勢で長時間利用する時には寝返り動作となって現れる。これにより、利用者２００の寝返り動作を促すことが可能になる。携帯式画像表示器１０が往復動するので、利用者２００は右へ寝返った後、左に寝返り、これを繰り替えることになる。
【００５３】
（実施形態の作用効果）
以上説明したように、この実施形態１に係る携帯式画像表示器支持装置１によれば、携帯式画像表示器１０を仰臥姿勢や横臥姿勢で長時間利用する時に、利用者２００の寝返り動作を促すことができるので、利用者の首・肩こりや腰痛の防止、及び発痛物質の停滞防止を図ることができる。
【００５４】
また、駆動手段２０を傾動機構６０により傾動させて使用位置にすると携帯式画像表示器１００の表示画面が利用者２００の顔２０１に対向するように配置されるので、高い視認性を確保することができる。一方、駆動手段２０を傾動機構６０により退避位置に切り替えると、携帯式画像表示器１００が利用者２００から退避するので、例えば仰臥姿勢や横臥姿勢にある利用者２００が起き上がるときに携帯式画像表示器１０が邪魔になりにくい。
【００５５】
（実施形態２）
図９は、本発明の実施形態２に係る携帯式画像表示器支持装置１の使用状態を示すものである。実施形態２では、ベッド４００のフレーム４０１に携帯式画像表示器支持装置１を固定して使用することができるように構成されている点で実施形態１のものとは異なっており、他の部分は実施形態１と同じであるため、以下、実施形態１と同じ部分には同じ符号を付して説明を省略し、異なる部分について詳細に説明する。
【００５６】
実施形態２の携帯式画像表示器支持装置１は、ベッド４００のフレーム４０１に固定される固定手段７０を備えている。固定手段７０は、ベース部材に相当するものであり、フレーム４０１に固定される第１部材７１と、第１部材７１に固定される第２部材７２とを備えており、第２部材７２に支軸６５が固定されている。
【００５７】
この実施形態２によれば、実施形態１と同様な作用効果を奏することができるとともに、ベッド４００の両側や枕元に置かれる部材を無くすことができる。また、介護用ベッドのようにマット部分が可動するベッドであっても対応可能である。さらに、携帯式画像表示器支持装置１の使用により、いつも通りのベッドに寝転がった姿勢で気の向いた時に、気軽に寝返り動作を引き出す為のリハビリ治療用の道具としても期待できる。
【００５８】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００５９】
以上説明したように、本発明に係る携帯式画像表示器支持装置は、例えば、携帯端末機を仰臥姿勢や横臥姿勢で長時間利用する時に使用することができ、例えば動画の視聴、電子書籍の閲覧、映画鑑賞、音楽鑑賞をする場合に好適である。
【符号の説明】
【００６０】
１              携帯式画像表示器支持装置
１０            表示器支持部材
２０            駆動手段
３０            制御部
４０            ガイド部材
５０            ベース部材
６０            傾動機構
１００          携帯式画像表示器
２００          利用者
【図１】
2020047204.tif 000003
【図２】
2020047204.tif 000004
【図３】
2020047204.tif 000005
【図４】
2020047204.tif 000006
【図５】
2020047204.tif 000007
【図６】
2020047204.tif 000008
【図７】
2020047204.tif 000009
【図８】
2020047204.tif 000010
【図９】
2020047204.tif 000011
【図１０】
2020047204.tif 000012